(57)【要約】【課題】大型クレーンにより油圧クレーンを原子炉格納容器内に搬入することなく、ポーラクレーンを容易かつ確実に解体することができる、原子炉格納容器内ポーラクレーンの解体方法を提供する。【解決手段】ポーラクレーン２により原子炉格納容器１内の作業床３上に、４基の伸縮式重量物昇降装置４を対向させて組み立て、隣接する重量物昇降装置４の頂部間にジャッキ受け梁５を張り渡し、ジャッキ受け梁５にワイヤジャッキング装置を介して昇降ステージ７を設置し、重量物昇降装置４を伸ばすと共に、ワイヤジャッキング装置６により昇降ステージ７を上昇させて、ポーラクレーン２の荷重を受け、次いで、ポーラクレーン２のサドル２ｂをクレーンガーダ２ａから切り離し、次いで、ワイヤジャッキング装置６により昇降ステージ７をクレーンガーダ２ａと共に下降させ、そして、クレーンガーダ２ａを作業床３上で解体する。【選択図】図１
2016223792.tif 000002
【特許請求の範囲】
【請求項１】
原子炉格納容器内に設置されているポーラクレーンを前記原子炉格納容器内で解体する方法において、
前記ポーラクレーンにより前記原子炉格納容器内の作業床上に、複数基の伸縮式重量物昇降装置を対向させて組み立て、隣接する前記重量物昇降装置の頂部間にジャッキ受け梁を張り渡し、前記ジャッキ受け梁にジャッキを介して昇降ステージを設置し、前記重量物昇降装置を伸ばすと共に、前記ジャッキにより前記昇降ステージを上昇させて、前記ポーラクレーンの荷重を受け、次いで、前記ポーラクレーンのサドルをクレーンガーダから切り離し、次いで、前記ジャッキにより前記昇降ステージを前記クレーンガーダと共に下降させ、そして、前記クレーンガーダを前記作業床上で解体することを特徴とする、原子炉格納容器内ポーラクレーンの解体方法。
【請求項２】
前記ジャッキは、ワイヤジャッキング装置からなることを特徴とする、請求項１に記載の、原子炉格納容器内ポーラクレーンの解体方法。
【発明の詳細な説明】
【技術分野】
【０００１】
この発明は、原子炉格納容器内ポーラクレーンの解体方法、特に、原子炉格納容器内ポーラクレーンを原子炉格納容器の解体前に容易かつ確実に解体することができる、原子炉格納容器内ポーラクレーンの解体方法に関するものである。
【背景技術】
【０００２】
原子炉格納容器内に重量物としての蒸気発生器を据え付ける方法の一例が特許文献１に開示されている。
【０００３】
以下、この蒸気発生器の据付方法を、図面を参照しながら説明する。
【０００４】
図１３は、蒸気発生器の据付方法を示す断面図である。
【０００５】
図１３に示すように、この据付方法は、原子炉格納容器２１内に設置されたポーラクレーン２２のクレーンガーダ２３上に、ワイヤ巻取機２４が搭載された既設トロリ２５以外に、ワイヤジャッキング装置２６およびストランド巻取機２７とが搭載された補助トロリ２８を新たに設置し、既設トロリ２５と補助トロリ２８とを使用して蒸気発生器２９を据え付ける方法である（特許文献１参照）。
【０００６】
上述した据付方法により蒸気発生器２９を据え付けるには、先ず、図中、一点鎖線で示すように、補助トロリ２８のワイヤジャッキング装置２６に取り付けた吊ビーム３０を、原子炉格納容器２１内の蒸気発生器２９の上部のトラニオン３１に連結するとともに、既設トロリ２５の吊りフック３２を蒸気発生器２９の下部の吊り金具３３に連結する。蒸気発生器２９は、原子炉格納容器２１の作業床３４上に搬入された台車３５上に横倒しされている。
【０００７】
次いで、補助トロリ２８のワイヤジャッキング装置２６と既設トロリ２５のワイヤ巻取機２４とにより、台車３５上に横倒しされた蒸気発生器２９を水平状態で吊り上げ、この後、台車３５を原子炉格納容器２１外に退出させる。
【０００８】
次いで、蒸気発生器２９をそのまま立て起こしても、蒸気発生器２９の最下部が作業床３４に触れない高さになるまで、補助トロリ２８のワイヤジャッキング装置２６と既設トロリ２５のワイヤ巻取機２４とを操作する。
【０００９】
次いで、既設トロリ２５を補助トロリ２８側に、吊りフック３２がほぼ鉛直になるまで移動させ、補助トロリ２８のワイヤジャッキング装置２６を操作して、蒸気発生器２９を立て起こす。
【００１０】
次いで、吊りフック３２を吊り金具３３から切り離し、蒸気発生器２９を鉛直に吊り下げた状態でクレーンガーダ２３の旋回と補助トロリ２８の横行とによって蒸気発生器２９を据え付け位置の真上まで移動させる。
【００１１】
そして、補助トロリ２８のワイヤジャッキング装置２６により蒸気発生器２９を吊り下ろして、図中、一点鎖線で示すように蒸気発生器２９を原子炉格納容器２１内に据え付ける。
【先行技術文献】
【特許文献】
【００１２】
【特許文献１】特開平８−２７１６７０号公報
【特許文献２】特開２００９−１０２９７２号公報
【特許文献３】特開平１０−５９６９１号公報
【発明の概要】
【発明が解決しようとする課題】
【００１３】
上述したように、ポーラクレーン２２は、原子炉格納容器２１内への蒸気発生器２９の据え付けに不可欠な装置である。なお、ポーラクレーン２２は、蒸気発生器２９の据え付け以外に、他の重量物の据え付け等に使用されている。
【００１４】
何らかの理由により、ポーラクレーン２２を原子炉格納容器２１から撤去するに際して、ポーラクレーン２２を原子炉格納容器２１内で解体するには、油圧クレーンを原子炉格納容器２１内に搬入する必要があるが、以下のような問題がある。
【００１５】
油圧クレーンを原子炉格納容器２１内に搬入するために、原子炉格納容器２１外に大型クレーンを設置する必要がある。
【００１６】
また、一度、油圧クレーンを原子炉格納容器２１内に搬入すると、原子炉格納容器２１内の作業エリアが狭くなり、原子炉格納容器２１内での作業能率が低下する。
【００１７】
さらに、油圧クレーンが排出する排気ガスを原子炉格納容器２１外に排出するための仮設ダクトを設置する必要がある。
【００１８】
なお、原子炉格納容器２１内に搬入した油圧クレーンによりポーラクレーン２２を解体しない場合には、原子炉格納容器２１を大型クレーンで解体するまで、ポーラクレーン２２をそのまま放置せざるを得ない。
【００１９】
従って、この発明の目的は、大型クレーンにより油圧クレーンを原子炉格納容器内に搬入することなく、かつ、原子炉格納容器の解体前にポーラクレーンを容易かつ確実に解体することができる、原子炉格納容器内ポーラクレーンの解体方法を提供することにある。
【課題を解決するための手段】
【００２０】
この発明は、上記目的を達成するためになされたものであり、下記を特徴とするものである。
【００２１】
請求項１に記載の発明は、原子炉格納容器内に設置されているポーラクレーンを前記原子炉格納容器内で解体する方法において、前記ポーラクレーンにより前記原子炉格納容器内の作業床上に、複数基の伸縮式重量物昇降装置を対向させて組み立て、隣接する前記重量物昇降装置の頂部間にジャッキ受け梁を張り渡し、前記ジャッキ受け梁にジャッキを介して昇降ステージを設置し、前記重量物昇降装置を伸ばすと共に、前記ジャッキにより前記昇降ステージを上昇させて、前記ポーラクレーンの荷重を受け、次いで、前記ポーラクレーンのサドルをクレーンガーダから切り離し、次いで、前記ジャッキにより前記昇降ステージを前記クレーンガーダと共に下降させ、そして、前記クレーンガーダを前記作業床上で解体することに特徴を有するものである。
【００２２】
請求項２に記載の発明は、請求項１に記載の発明において、前記ジャッキは、ワイヤジャッキング装置からなることに特徴を有するものである。
【発明の効果】
【００２３】
この発明によれば、油圧クレーンを原子炉格納容器内に搬入する必要がないので、油圧クレーン搬入用の大型クレーンを原子炉格納容器外に設置する必要がなく、かつ、原子炉格納容器の解体前にポーラクレーンを解体することができる。
【００２４】
また、この発明によれば、油圧クレーンを原子炉格納容器内に搬入する必要がないので、原子炉格納容器内の作業エリアが狭くなることがない。従って、原子炉格納容器内での作業能率が低下するおそれはない。
【００２５】
また、この発明によれば、油圧クレーンを原子炉格納容器内に搬入する必要がないので、油圧クレーンが排出する排気ガスを原子炉格納容器外に排出するための仮設ダクトを設置する必要がない。
【図面の簡単な説明】
【００２６】
【図１】この発明により、ジャッキ受け梁を張り渡した伸縮式重量物昇降装置を作業床上に組み立てた状態を示す正面図である。
【図２】この発明により、ジャッキ受け梁を張り渡した伸縮式重量物昇降装置を作業床上に組み立てた状態を示す側面図である。
【図３】この発明により、重量物昇降装置およびジャッキにより昇降ステージを上昇させて、ポーラクレーンの荷重を受けた状態を示す正面図である。
【図４】この発明により、重量物昇降装置およびジャッキにより昇降ステージを上昇させて、ポーラクレーンの荷重を受けた状態を示す側面図である。
【図５】この発明により、ポーラクレーンのサドルをクレーンガーダから切り離した状態を示す正面図である。
【図６】この発明により、ポーラクレーンのサドルをクレーンガーダから切り離した状態を示す側面図である。
【図７】この発明により、ジャッキにより昇降ステージを下降させる状態を示す正面図である。
【図８】この発明により、ジャッキにより昇降ステージを下降させる状態を示す側面図である。
【図９】この発明により、昇降ステージを作業床上で解体する状態を示す正面図である。
【図１０】この発明により、昇降ステージを作業床上で解体する状態を示す側面図である。
【図１１】重量物昇降装置を示す正面図である。
【図１２】重量物昇降装置を示す平面図である。
【図１３】蒸気発生器の据付方法を示す断面図である。
【発明を実施するための形態】
【００２７】
この発明の、原子炉格納容器内ポーラクレーンの解体方法の一実施態様を、図面を参照しながら説明する。
【００２８】
図１は、この発明により、ジャッキ受け梁を張り渡した伸縮式重量物昇降装置を作業床上に組み立てた状態を示す正面図、図２は、この発明により、ジャッキ受け梁を張り渡した伸縮式重量物昇降装置を作業床上に組み立てた状態を示す側面図、図３は、この発明により、重量物昇降装置およびジャッキにより昇降ステージを上昇させて、ポーラクレーンの荷重を受けた状態を示す正面図、図４は、この発明により、重量物昇降装置およびジャッキにより昇降ステージを上昇させて、ポーラクレーンの荷重を受けた状態を示す側面図、図５は、この発明により、ポーラクレーンのサドルをクレーンガーダから切り離した状態を示す正面図、図６は、この発明により、ポーラクレーンのサドルをクレーンガーダから切り離した状態を示す側面図、図７は、この発明により、ジャッキにより昇降ステージを下降させる状態を示す正面図、図８は、この発明により、ジャッキにより昇降ステージを下降させる状態を示す側面図、図９は、この発明により、昇降ステージを作業床上で解体する状態を示す正面図、図１０は、この発明により、昇降ステージを作業床上で解体する状態を示す側面図である。
【００２９】
図１から図１０において、１は、原子炉格納容器、２は、原子炉格納容器１内に設置されたポーラクレーンであり、クレーンガーダ２ａとクレーンガーダ２ａの両側に設置されたサドル２ｂとクレーンガーダ２ａに沿って走行するトロリー２ｃとを備えている。クレーンガーダ２ａは、原子炉格納容器１内にリング状に設置されたレール８に沿ってサドル２ｂを介して走行する。
【００３０】
３は、ポーラクレーン２の下方部に設置された作業床、４は、作業床３上に対向させて組み立てられた複数基、この例では４基の伸縮式重量物昇降装置である。重量物昇降装置４については、後述する。５は、重量物昇降装置４の頂部間に張り渡された一対のジャッキ受け梁、６は、ジャッキ受け梁５に設置されたワイヤジャッキング装置である。ワイヤジャッキング装置６は、各ジャッキ受け梁５の内側に２台、計４台設置されている。ワイヤジャッキング装置６については、後述する。７は、ワイヤジャッキング装置６により間欠的に昇降する昇降ステージである。
【００３１】
重量物昇降装置４は、例えば、特許文献２に開示されている重量物昇降装置を使用する。以下、重量物昇降装置４を、図面を参照しながら説明する。
【００３２】
図１１は、重量物昇降装置を示す正面図、図１２は、重量物昇降装置を示す平面図である。
【００３３】
図１１および図１２に示すように、重量物昇降装置４は、外側支柱９Ａ、中間支柱９Ｂ、内側支柱９Ｃが入れ子式に且つそれぞれ複数台の外側昇降手段１０Ａ、内側昇降手段１０Ｂにより昇降可能に組み立てられ、内側支柱９Ｃの頂部間に上述したジャッキ受梁５が張り渡されている。
【００３４】
外側昇降手段１０Ａおよび内側昇降手段１０Ｂは、例えば、特許文献３に開示されたワイヤジャッキング装置からなっている。ワイヤジャッキング装置については、後述する。
【００３５】
外側昇降手段１０Ａは、中間支柱９Ｂの上下端間に張り渡された外側ストランド１１Ａと、外側支柱９Ａに固定された、油圧ポンプにより伸縮可能な外側ジャッキ本体１２Ａとからなっている。外側ジャッキ本体１２Ａは、可動側に設けられる第１把持手段と、外側ジャッキ本体１２Ａの固定側に取り付けられる第２把持手段とを備え、外側ジャッキ本体１２Ａの伸張時に、前記第１把持手段は、外側ストランド１１Ａを把持し、前記第１把持手段により外側ストランド１１Ａを把持した後に、前記第２把持手段を開放する。一方、外側ジャッキ本体１２Ａの縮小時に、前記第２把持手段により外側ストランド１１Ａを把持した後に、前記第１把持手段を開放する。かくして、外側ジャッキ本体１２Ａの伸縮によって内側支柱９Ｂは、外側支柱９Ａに対して内側支柱９Ｃと共に間歇的に昇降する。
【００３６】
内側昇降手段１０Ｂは、内側支柱９Ｃの上下端間に張り渡された内側ストランド１１Ｂと、中間支柱９Ｂに固定された、油圧ポンプにより伸縮可能な内側ジャッキ本体１２Ｂとからなっている。内側ジャッキ本体１２Ｂは、可動側に設けられる第１把持手段と、内側ジャッキ本体１２Ｂの固定側に取り付けられる第２把持手段とを備え、内側ジャッキ本体１２Ｂの伸張時に、前記第１把持手段は、内側ストランド１１Ｂを把持し、前記第１把持手段により内側ストランド１１Ｂを把持した後に、前記第２把持手段を開放する。一方、内側ジャッキ本体１２Ｂの縮小時に、前記第２把持手段により内側ストランド１１Ｂを把持した後に、前記第１把持手段を開放する。かくして、内側ジャッキ本体１２Ｂの伸縮によって内側支柱９Ｃは、中間支柱９Ｂに対して間歇的に昇降する。これらの昇降は、各支柱９Ａ、９Ｂ、９Ｃ間に取り付けられたチルタンク等からなるガイド部材１３（図１２参照）によって円滑に行われる。
【００３７】
このようにして、中間支柱９Ｂは、外側支柱９Ａに対して内側支柱９Ｃと共に昇降し、内側支柱９Ｃは、中間支柱９Ｂに対して昇降する。
【００３８】
ワイヤジャッキング装置６は、上述した外側昇降手段１０Ａおよび内側昇降手段１０Ｂと同様な構造のものである。すなわち、ジャッキ受梁５の下面に上端を固定したストランド１６と、ストランド１６に沿って間欠的に昇降するジャッキ本体１７とからなり、ジャッキ本体１７に昇降ステージ７が取り付けられている。これにより、４台のワイヤジャッキング装置６を同期させて操作することによって、昇降ステージ７は、水平状態を維持しながら昇降する。
【００３９】
次に、この発明の、原子炉格納容器内ポーラクレーンの解体方法について、図面を参照しながら説明する。
【００４０】
先ず、図１および図２に示すように、原子炉格納容器１内の作業床３上に、４基の伸縮式重量物昇降装置４を対向させて組み立てる。次いで、同図に示すように、隣接する重量物昇降装置４の頂部間、すなわち、重量物昇降装置４の内側支柱９Ｃの頂部間にジャッキ受け梁５を張り渡す（図１１参照）。次いで、同図に示すように、ジャッキ受け梁５にワイヤジャッキング装置６を設置し、ワイヤジャッキング装置６のジャッキ本体１７に昇降ステージ７を設置する。
【００４１】
次いで、図３および図４に示すように、ワイヤジャッキング装置６により昇降ステージ７を上昇させて、ポーラクレーン２の荷重を受ける。すなわち、昇降ステージ７にポーラクレーン２の荷重を預ける。
【００４２】
次いで、図５および図６に示すように、ポーラクレーン２のサドル２ｂをクレーンガーダ２ａから切り離す。
【００４３】
次いで、図７および図８に示すように、ワイヤジャッキング装置６により昇降ステージ７をクレーンガーダ２ａと共に下降させる。
【００４４】
そして、クレーンガーダ２ａを作業床３上で解体する。
【００４５】
以上のようにして、原子炉格納容器内ポーラクレーンの解体が終了する。解体物は、原子炉格納容器外に搬出する。
【００４６】
以上説明したように、この発明によれば、油圧クレーンを原子炉格納容器１内に搬入する必要がないので、油圧クレーン搬入用の大型クレーンを原子炉格納容器１外に設置する必要がなく、かつ、原子炉格納容器１の解体前にポーラクレーンを解体することができる。
【００４７】
また、この発明によれば、油圧クレーンを原子炉格納容器１内に搬入する必要がないので、原子炉格納容器１内の作業エリアが狭くなることがない。従って、原子炉格納容器１内での作業能率が低下するおそれはない。
【００４８】
また、この発明によれば、油圧クレーンを原子炉格納容器１内に搬入する必要がないので、油圧クレーンが排出する排気ガスを原子炉格納容器１外に排出するための仮設ダクトを設置する必要がない。
【符号の説明】
【００４９】
１：原子炉格納容器
２：ポーラクレーン
２ａ：クレーンガーダ
２ｂ：サドル
２ｃ：トロリー
３：作業床
４：重量物昇降装置
５：ジャッキ受け梁
６：ワイヤジャッキング装置
７：昇降ステージ
８：レール
９Ａ：外側支柱
９Ｂ：中間支柱
９Ｃ：内側支柱
１０Ａ：外側昇降手段
１０Ｂ：内側昇降手段
１１Ａ：外側ストランド
１１Ｂ：内側ストランド
１２Ａ：外側ジャッキ本体
１２Ｂ：内側ジャッキ本体
１３：ガイド部材
１６：ストランド
１７：ジャッキ本体
２１：原子炉格納容器
２２：ポーラクレーン
２３：クレーンガーダ
２４：ワイヤ巻取機
２５：既設トロリ
２６：ワイヤジャッキング装置
２７：ストランド巻取機
２８：補助トロリ
２９：蒸気発生器
３０：吊りビーム
３１：トラニオン
３２：吊りフック
３３：吊り金具
３４：作業床
３５：台車
【図１】
2016223792.tif 000003
【図２】
2016223792.tif 000004
【図３】
2016223792.tif 000005
【図４】
2016223792.tif 000006
【図５】
2016223792.tif 000007
【図６】
2016223792.tif 000008
【図７】
2016223792.tif 000009
【図８】
2016223792.tif 000010
【図９】
2016223792.tif 000011
【図１０】
2016223792.tif 000012
【図１１】
2016223792.tif 000013
【図１２】
2016223792.tif 000014
【図１３】
2016223792.tif 000015